(57)【要約】【課題】取り付けや取り外しが簡便に行えて使用しやすく、かさばらず、安定感のある、はしなどの調理器具、歯ブラシなどの洗面用具、筆などの筆記用具および園芸用の液体肥料などの種々の被支持部材の支持や固定のための、汎用の支持器具を提供する。【解決手段】様々な被支持部材を支持するための支持部１０と、支持部１０に接続され、３本の突起を有し、様々な箇所に取り付けるための取り付け部２０とを備える。支持部１０は、支持部本体１と、支持部本体１と連結された左右の折り返し部２、３とを備える。折り返し部２及び折り返し部３とは間隙１３を介して隔たっている。取り付け部２０は、中央突起５と、その左右に２本の側部突起４、６と、支持部１０と接続するための中央突起接続部８と側部突起接続部７、９とを備える。中央突起５の設置高さが、側部突起４、６の設置高さより高い。【選択図】図１
0003155438.tif 000002
【実用新案登録請求の範囲】
【請求項１】
被支持部材を支持するための支持部と、
前記支持部に接続され、３本以上の突起を有する取り付け部と、
を備えることを特徴とする支持器具。
【請求項２】
前記支持部は、一部に間隙を有し、
前記取り付け部における中央突起の設置高さが、複数の側部突起の設置高さと異なる
ことを特徴とする請求項１記載の支持器具。
【考案の詳細な説明】
【技術分野】
【０００１】
本考案は、種々の被支持部材の支持や固定のための、汎用の支持器具に関するものである。
【背景技術】
【０００２】
はしなどの調理器具、歯ブラシなどの洗面用具、筆などの筆記用具および園芸用の液体肥料などを、その付近にスペースを取らずに立てて置きたい場合に使用する支持器具がいくつか提案されている。例えば、特許文献１に示された従来の支持器具では、クリップに支持体を固定する構成としている。使用方法としては、フライパンの端部にクリップを挟んで、調理に用いるはしを使用しない時に、はしを支持体に通す。これにより、はしをほぼ垂直に立てておくことができる。
【先行技術文献】
【特許文献】
【０００３】
【特許文献１】実開平４−４９０２１号公報
【考案の概要】
【考案が解決しようとする課題】
【０００４】
しかしながら、従来の支持器具では、取り付けや取り外しが面倒であったり、保管するのにかさばったり、安定度が不足しているという問題がある。
【０００５】
本考案は、上述した問題点に鑑み、取り付けや取り外しが簡便に行えて使用しやすく、かさばらず、安定感のある、はしなどの調理器具、歯ブラシなどの洗面用具、筆記用具および園芸用の液体肥料などの種々の被支持部材の支持や固定のための、汎用の支持器具を提供することを目的としている。
【課題を解決するための手段】
【０００６】
本考案に係る支持器具は、被支持部材を支持するための支持部と、前記支持部に接続され、３本以上の突起を有する取り付け部と、を備えることを特徴とする。
【０００７】
取り付け部が３本以上の突起を有することで、取り付け部を容器の端部に引っかけたり、地面に挿したりして固定することができ、種々の取り付け環境に対応できる。
【０００８】
また、本考案に係る支持器具において、前記支持部は一部に間隙を有し、前記取り付け部における中央突起の設置高さが複数の側部突起の設置高さと異なることを特徴とする。
【０００９】
支持部の間隙を利用することで、被支持部材の挿入と取り出しがしやすくなる。また、取り付け部における中央突起の設置高さが複数の側部突起の設置高さと異なることで、中央突起と複数の側部突起との間隔が広がるので、取り付け部を容器の端部に引っかけたり、地面に挿したりして固定しやすくなり、安定度が増す。
【考案の効果】
【００１０】
本考案に係る支持器具によれば、取り付け部を容器の端部に引っかけたり、地面に挿したりして固定することができ、種々の取り付け環境に対応できる。
【図面の簡単な説明】
【００１１】
【図１】本考案の実施例に係る支持器具の斜視図である。
【図２】本考案の実施例に係る支持器具の側面図である。
【図３】本考案の実施例に係る支持器具の使用例を示す図である。
【図４】本考案の実施例に係る支持器具の他の使用例を示す図である。
【考案を実施するための形態】
【００１２】
以下、本考案の実施形態につき、図面を参照しながら説明を行う。
図１は、本考案の実施例に係る支持器具１００の斜視図である。支持器具１００は、様々な被支持部材を支持するための支持部１０と、支持部１０に接続され、３本の突起を有し、様々な箇所に取り付けるための取り付け部２０とを備える。支持部１０は、支持部本体１と、支持部本体１と連結された左右の折り返し部２、３とを備える。折り返し部２及び折り返し部３とは間隙１３を介して隔たっている。取り付け部２０は、中央突起５と、その左右の２本の側部突起４、６と、支持部１０と接続するための中央突起接続部８と側部突起接続部７、９とを備える。中央突起５と、その左右の２本の側部突起４、６との間には、それぞれ取り付け部間隙１１、１２が設けられている。
【００１３】
取り付け部２０が３本の突起を有することで、容器の端部に引っかけたり、地面に挿したりして固定することができ、種々の取り付け環境に対応できる。また、支持部１０の間隙１３を利用することにより、被支持部材を上方に持ち上げることなく、支持部１０への被支持部材の挿入と取り出しがしやすくなる。
【００１４】
図２は、本考案の実施例に係る支持器具の側面図である。取り付け部２０における中央突起５の設置高さが、側部突起６の設置高さより高くなっている。側部突起４の設置高さは、側部突起６の設置高さと同じである。このような構成により、中央突起５と側部突起６との間隔１２が広がるので、本支持器具１００の取り付け部２０を容器の端部に引っかけたり、地面に挿したりして固定しやすくなり、また、取り付けた時の安定度が増す。
【００１５】
図３は、本考案の実施例に係る支持器具１００の使用例を示す図である。植木鉢３０に土３２が敷き詰められ、植物３１が植えられている。支持器具１００の取り付け部２０が、土３２中に挿されて固定されている。支持器具１００の支持部１０には、液体肥料ビン４０が設置され、液体肥料ビン４０の先から肥料が土３２中に供給されている。支持器具１００の取り付け部２０が、３本の突起を有し、中央突起の設置高さが側部突起の設置高さより高くなっていることで、しっかりと土３２中に挿されて固定されるので、重量のある液体肥料ビン４０が軟らかな土３２中に設置されていても、倒れたりすることもなく、安定して肥料が土３２中に供給され続ける。
【００１６】
図４は、本考案の実施例に係る支持器具１００の他の使用例を示す図である。なべ５０の縁において、支持器具１００の取り付け部２０の中央突起５がなべ５０の内側に入り、その左右の２本の側部突起４、６がなべ５０の外側に出るように挿入されている。支持器具１００の支持部１０には、はし５１が通され、料理中に邪魔にならないようにほぼ直立するように支持されている。支持部１０が間隙を有するので、はし５１を挿入する際および取り出しする際に、はし５１をその間隙のところで通すことができるため、従来のようにはし５１を支持部１０より上にあげて挿入および取り出す必要がなく、使用者にとって使いやすい。
【００１７】
この他にも本考案に係る支持器具１００のさまざまな使用例が考えられる。例えば、コップなどの容器やスタンド等に、支持器具１００の取り付け部２０を取り付けて、歯ブラシなどの洗面用具や筆などの筆記用具を支持することができる。支持器具１００の材料としては、金属が適している。高温にならない使用状況においては、硬質プラスチックなども適している。また、従来の支持器具と比較してデザイン的にも好ましいので、インテリア用品として使用できる。さらに、構造が簡単なため製造コストが少なくて済む。
【００１８】
以上のように、本考案の実施例に係る支持器具１００によれば、取り付け部２０が３本以上の突起４、５、６を有することで、容器の端部に引っかけたり、地面に挿したりして固定することができ、種々の取り付け環境に対応できる。また、支持部１０が一部に間隙１３を有することで、被支持部材を支持しつつ、被支持部材の挿入と取り出しがしやすくなる。また、取り付け部２０における中央突起５の設置高さが複数の側部突起４、６の設置高さと異なることで、中央突起５と複数の側部突起４、６との間隔１１、１２が広がるので、本支持器具１００の取り付け部２０を容器の端部に引っかけたり、地面に挿したりして固定しやすくなり、安定度が増す。
【００１９】
本考案は、以上述べた実施形態に限定されることはなく、他にも種々の実施形態を採用することができる。例えば、支持部１０の概略形状は円筒形以外の角柱形等の形状であってももちろん良く、間隙１３がない構成であっても良い。被支持部材を整理して保持できるようにするために、支持部１０の内部がいくつかのスペースに分割されている構造であってもよい。また、取り付け部２０における中央突起５の設置高さを、側部突起４、６の設置高さより低くする構成であってもよく、すべての突起４、５、６の設置高さを同じにする構成であってもよい。設置高さが一番高い突起が必ずしも中央突起でなくてもよい。さらに、取り付け部２０の突起を４本以上にする構成を採用してもよい。突起の形状は実施例で示したような直線状でなくてもよい。
【産業上の利用可能性】
【００２０】
本考案は、はしなどの調理器具、歯ブラシなどの洗面用具、筆などの筆記用具、園芸用の液体肥料などの種々の被支持部材の支持や固定のための、汎用の支持器具等に利用可能である。
【符号の説明】
【００２１】
１  支持部本体
２、３  折り返し部
４、６  側部突起
５  中央突起
７、９  側部突起接続部
８  中央突起接続部
１０  支持部
１１、１２  取り付け部間隙
１３  支持部間隙
２０  取り付け部
３０  植木鉢
３１  植物
３２  土
４０  肥料ビン
５０  なべ
５１  はし
１００  支持器具
【図１】
0003155438.tif 000003
【図２】
0003155438.tif 000004
【図３】
0003155438.tif 000005
【図４】
0003155438.tif 000006
【手続補正書】
【提出日】平成21年9月9日(2009.9.9)
【手続補正１】
【補正対象書類名】実用新案登録請求の範囲
【補正対象項目名】全文
【補正方法】変更
【補正の内容】
【実用新案登録請求の範囲】
【請求項１】
被支持部材を支持するための、支持部本体と前記支持部本体に連結された複数の折り返し部とを有する支持部と、
前記支持部に接続され、３本以上の突起を有する取り付け部と、
を備えることを特徴とする支持器具。
【請求項２】
前記支持部本体と前記複数の折り返し部とは全体として略筒状を構成し、前記複数の折り返し部の先端部は互いに間隙を介して隔たっており、
前記取り付け部における中央突起の側面視での設置高さが、複数の側部突起の側面視での設置高さと異なる
ことを特徴とする請求項１記載の支持器具。
【手続補正２】
【補正対象書類名】明細書
【補正対象項目名】０００６
【補正方法】変更
【補正の内容】
【０００６】
本考案に係る支持器具は、被支持部材を支持するための、支持部本体と前記支持部本体に連結された複数の折り返し部とを有する支持部と、前記支持部に接続され、３本以上の突起を有する取り付け部と、を備えることを特徴とする。
【手続補正３】
【補正対象書類名】明細書
【補正対象項目名】０００８
【補正方法】変更
【補正の内容】
【０００８】
また、本考案に係る支持器具において、前記支持部本体と前記複数の折り返し部とは全体として略筒状を構成し、前記複数の折り返し部の先端部は互いに間隙を介して隔たっており、前記取り付け部における中央突起の側面視での設置高さが、複数の側部突起の側面視での設置高さと異なることを特徴とする。
【手続補正４】
【補正対象書類名】明細書
【補正対象項目名】０００９
【補正方法】変更
【補正の内容】
【０００９】
支持部の間隙を利用することで、被支持部材の挿入と取り出しがしやすくなる。また、取り付け部における中央突起の側面視での設置高さが複数の側部突起の側面視での設置高さと異なることで、中央突起と複数の側部突起との間隔が広がるので、取り付け部を容器の端部に引っかけたり、地面に挿したりして固定しやすくなり、安定度が増す。
【手続補正５】
【補正対象書類名】明細書
【補正対象項目名】００１４
【補正方法】変更
【補正の内容】
【００１４】
図２は、本考案の実施例に係る支持器具の側面図である。取り付け部２０における中央突起５の側面視での設置高さが、側部突起６の側面視での設置高さより高くなっている。側部突起４の側面視での設置高さは、側部突起６の側面視での設置高さと同じである。このような構成により、中央突起５と複数の側部突起６との間隔１２が広がるので、本支持器具１００の取り付け部２０を容器の端部に引っかけたり、地面に挿したりして固定しやすくなり、また、取り付けた時の安定度が増す。
【手続補正６】
【補正対象書類名】明細書
【補正対象項目名】００１５
【補正方法】変更
【補正の内容】
【００１５】
図３は、本考案の実施例に係る支持器具１００の使用例を示す図である。植木鉢３０に土３２が敷き詰められ、植物３１が植えられている。支持器具１００の取り付け部２０が、土３２中に挿されて固定されている。支持器具１００の支持部１０には、液体肥料ビン４０が設置され、液体肥料ビン４０の先から肥料が土３２中に供給されている。支持器具１００の取り付け部２０が、３本の突起を有し、中央突起の側面視での設置高さが側部突起の側面視での設置高さより高くなっていることで、しっかりと土３２中に挿されて固定されるので、重量のある液体肥料ビン４０が軟らかな土３２中に設置されていても、倒れたりすることもなく、安定して肥料が土３２中に供給され続ける。
【手続補正７】
【補正対象書類名】明細書
【補正対象項目名】００１８
【補正方法】変更
【補正の内容】
【００１８】
以上のように、本考案の実施例に係る支持器具１００によれば、取り付け部２０が３本以上の突起４、５、６を有することで、容器の端部に引っかけたり、地面に挿したりして固定することができ、種々の取り付け環境に対応できる。また、支持部１０が一部に間隙１３を有することで、被支持部材を支持しつつ、被支持部材の挿入と取り出しがしやすくなる。また、取り付け部２０における中央突起５の側面視での設置高さが複数の側部突起４、６の側面視での設置高さと異なることで、中央突起５と複数の側部突起４、６との間隔１１、１２が広がるので、本支持器具１００の取り付け部２０を容器の端部に引っかけたり、地面に挿したりして固定しやすくなり、安定度が増す。
【手続補正８】
【補正対象書類名】明細書
【補正対象項目名】００１９
【補正方法】変更
【補正の内容】
【００１９】
本考案は、以上述べた実施形態に限定されることはなく、他にも種々の実施形態を採用することができる。例えば、支持部１０の概略形状は円筒形以外の角柱形等の形状であってももちろん良く、間隙１３がない構成であっても良い。被支持部材を整理して保持できるようにするために、支持部１０の内部がいくつかのスペースに分割されている構造であってもよい。また、取り付け部２０における中央突起５の側面視での設置高さを、側部突起４、６の側面視での設置高さより低くする構成であってもよく、すべての突起４、５、６の側面視での設置高さを同じにする構成であってもよい。さらに、取り付け部２０の突起を４本以上にする構成を採用してもよい。突起の形状は実施例で示したような直線状でなくてもよい。